(57)【要約】【課題】上方に外すためのスペースを設ける必要がなく、また、前方に障害物があっても良好に着脱できる作業口蓋を設けた浴槽エプロン構造を提供する。【解決手段】エプロン２の作業口Ｈに着脱可能に作業口蓋３が嵌め込まれ、作業口Ｈの内周上縁には内周上縁傾斜部２ａが形成され、作業口蓋３の外周上縁には外周上縁傾斜部３ｄが形成され、作業口蓋３が上方へ押し上げられた時に、内周上縁傾斜部２ａに沿って外周上縁傾斜部３ｄがスライドして、作業口蓋３の上端側が手前側へ外れるように構成する。【選択図】図２
2007181574.tif 000002
【特許請求の範囲】
【請求項１】
作業口を有し、該作業口には着脱可能に作業口蓋が嵌め込まれてなる浴槽エプロンにおいて、前記作業口の内周上縁と前記作業口蓋の外周上縁の少なくとも一方側には、前記作業口蓋が上方へ押し上げられた時に、該作業口蓋の上縁を手前側へスライドさせることのできる傾斜部が設けられていることを特徴とする浴槽エプロン構造。
【請求項２】
前記作業口蓋の下端側は、該作業口蓋の上端が手前側へ回転できるようにエプロンに掛止されていることを特徴とする請求項１に記載の浴槽エプロン構造。
【発明の詳細な説明】
【技術分野】
【０００１】
本発明は、浴槽に設けられるエプロンの構造に関するものである。
【背景技術】
【０００２】
従来、浴槽のエプロンに作業口を設け、この作業口に着脱可能に作業口蓋が取り付けられたものが存在し、作業口蓋は手前に引いて外すように構成されている場合と、特許文献１に開示されているように、上にスライドさせて取り外すことができるように構成されたものとがある。
【特許文献１】特開２００１−１７３３７号公報
【発明の開示】
【発明が解決しようとする課題】
【０００３】
作業口蓋を手前に引いて外す構造では、作業口蓋を手前に引く際の手掛かりが必要となり、また、手前側に障害物がある場合には、作業口蓋の着脱が困難となるという問題点があった。
また、特許文献１に開示されているように、上にスライドさせて外す構造では、作業口の上方にスペースが必要となり、上方スペースを確保せねばならないという問題点があった。
【課題を解決するための手段】
【０００４】
本発明は上記従来の問題点に鑑み案出したものであって、作業口蓋を手前に引っ張らなくても手前側に外すことができ、しかも上方に外すためのスペースを設ける必要のない浴槽エプロン構造を提供するものであり、その請求項１は、作業口を有し、該作業口には着脱可能に作業口蓋が嵌め込まれてなる浴槽エプロンにおいて、前記作業口の内周上縁と前記作業口蓋の外周上縁の少なくとも一方側には、前記作業口蓋が上方へ押し上げられた時に、該作業口蓋の上縁を手前側へスライドさせることのできる傾斜部が設けられていることである。
【０００５】
また請求項２は、前記作業口蓋の下端側は、該作業口蓋の上端が手前側へ回転できるようにエプロンに掛止されていることである。
【発明の効果】
【０００６】
本発明は、作業口を有し、該作業口には着脱可能に作業口蓋が嵌め込まれてなる浴槽エプロンにおいて、前記作業口の内周上縁と前記作業口蓋の外周上縁の少なくとも一方側には、前記作業口蓋が上方へ押し上げられた時に、該作業口蓋の上縁を手前側へスライドさせることのできる傾斜部が設けられていることにより、作業口蓋を上方へ押し上げると、傾斜部を介して斜めにスライドして作業口蓋が手前側に外れることとなり、作業口蓋を手前に引っ張らなくても手前に外すことができ、しかも上方には外すためのスペースを設ける必要がないものとなる。
【０００７】
また、前記作業口蓋の下端側は、該作業口蓋の上端が手前側へ回転できるようにエプロンに掛止されていることにより、作業口蓋の下端側をエプロンに上方から差し込むことで、作業口蓋の上端側を斜めにスライドさせて固定することができ、エプロンのコーナー部にも良好に作業口蓋を取り付けることができ、また、エプロン下方で前方に障害物があっても作業口蓋の着脱が可能なものとなる。
【実施例】
【０００８】
以下、本発明の実施例を図面に基づいて説明する。
図１は、浴槽エプロンの要部構成図であり、浴槽１の洗い場側にはエプロン２が取り付けられており、このエプロン２には作業口蓋３が着脱可能に嵌め込まれている。この作業口蓋３は、図２の縦断面拡大構成図で示すような構造で、エプロン２に形成されている作業口Ｈに嵌め込まれて取り付けられている。
【０００９】
図２において、エプロン２の作業口Ｈの内周上縁には、表面側から裏側に下傾状に傾斜して内周上縁傾斜部２ａが形成されており、また、作業口Ｈの内周下端には、略水平状に表側から裏側へ内周下縁水平部２ｂが形成されている。
一方、作業口蓋３は、前片３ａの外周に裏側へ折り曲げて側片３ｂが一体形成されており、上端側の外周上縁には前片３ａから側片３ｂの裏側に向かって下傾する外周上縁傾斜部３ｄが形成されている。
また、前片３ａの下部部位には裏側へ凹み状に手を掛けることのできる手掛け凹部３ｃが形成されている。
【００１０】
なお、作業口Ｈの上部部位には、一対の上受け金具５，５がエプロン２側に固定されており、また、エプロン２の作業口Ｈ内の下部部位には、一対の下受け金具６，６が固設されている。また、作業口蓋３の裏側の上部部位には、一対の上掛止金具７，７が固設されており、また、作業口蓋３の裏側の下部部位には、一対の下掛止金具８，８が固設されている。
【００１１】
このような構成において、図２に示すように、作業口蓋３がエプロン２の作業口Ｈに嵌め込まれた状態から、手掛け凹部３ｃ内に指を入れて作業口蓋３を上方へ押し上げることにより、エプロン側の内周上縁傾斜部２ａに沿って作業口蓋３の外周上縁傾斜部３ｄがスライド移動して、作業口蓋３の上端側が自然に手前側に外れることとなり、作業口蓋３を上方へ押し上げるだけで良好に作業口蓋３を手前側に外すことができるものとなる。
従って、このような構造では、手前下部側に障害物がある場合でも良好に作業口蓋３を外すことができ、また、作業口蓋３を外すためのスペースをエプロン作業口内の上方に設ける必要がなく、良好に作業口蓋３を外すことができるものとなる。
【００１２】
また、逆に、作業口Ｈに作業口蓋３を嵌め込む際には、先ず下受け金具６に下掛止金具８が載るように、上方側から作業口蓋３の下端を先ず嵌め込み、その状態で作業口蓋３の上端側を後方側へ略水平に押すことで、内周上縁傾斜部２ａに沿って作業口蓋３の外周上縁傾斜部３ｄが斜め下方へスライドし、自然に上受け金具５に上掛止金具７が載せられて係合されることとなり、この状態で作業口蓋３の前片３ａがエプロン２とほぼ面一状に作業口Ｈに嵌め込まれるものであり、上下方向の移動量は極めて少ないために、手前側から良好に作業口蓋３を作業口Ｈに嵌め込むことができるものとなる。
【００１３】
次に、図３は、作業口蓋３がエプロン２のコーナー側下部部位に取り付けられている場合の斜視構成図であり、図４は、この作業口蓋３の取付状態の縦断面構成図である。
なお、この場合、図５の要部拡大図で示すように、エプロン２の作業口Ｈを形成する作業口内周立壁２ｃには、略水平に突出状にダボ９が形成されており、このダボ９に作業口蓋３の裏側下端に固設された下掛止金具８を掛止できるように構成されており、作業口Ｈの上端側には上受け金具５が固設され、また、この上受け金具５に係合する上掛止金具７が作業口蓋３の裏側上端部に固設されている。
なお、下掛止金具８は、作業口蓋３の裏側に固定される固定片８ａと、この固定片８ａの上端から逆Ｕ字状に湾曲した逆Ｕ字片８ｂで構成されており、この逆Ｕ字状片８ｂをダボ９に嵌め込み状に掛止できるものである。
【００１４】
図４においても、作業口Ｈの内周上端には内周上縁傾斜部２ａが形成されており、これに対応した傾斜状の外周上縁傾斜部３ｄが作業口蓋３の上端に形成されている。
このような構造では、作業口蓋３の手掛け凹部３ｃ内に指を入れて作業口蓋３を上方へ押し上げると、内周上縁傾斜部２ａに沿って作業口蓋３の外周上縁傾斜部３ｄが手前側へ斜めにスライドして、作業口蓋３の上端側が手前側に外れ、その状態で作業口蓋３の下端側をダボ９を中心として回転させて、良好に作業口蓋３を斜め手前側に傾斜させながら作業口Ｈから外すことができ、手前下方に障害物がある場合でも良好に外すことができるものとなる。
【００１５】
また、作業口蓋３を作業口Ｈに嵌め込む時には、上方側から作業口蓋３の下端側の下掛止金具８をダボ９に嵌め込んで、作業口蓋３の上端を作業口Ｈに略水平状態に押し込むことで、内周上縁傾斜部２ａに沿って作業口蓋３の外周上縁傾斜部３ｄがスライド状態で嵌め込まれ、上受け金具５と上掛止金具７が係合されるものであり、作業口蓋３の取り付けも極めて容易に行えるものである。
【００１６】
次に、図６で示すものは、図３に示すようなコーナー側下部部位に設けられる作業口蓋３の下端側を変更したものであり、エプロン２の作業口Ｈにはダボ９が突出されており、このダボ９に作業口蓋３の下端側を回転可能に差し込んで取り付けるために、作業口蓋３の下端側には裏側へ突出してボス部３ｅが一体形成され、このボス部３ｅにビス１０を介して下掛止金具８を固定しておくことができ、この下掛止金具８は、ビス１０から略垂直に下方に延びる垂下片８ｃと、垂下片８ｃの下端で裏側へ湾曲したガイド片８ｄからなる単純な板状の金具で構成されている。
【００１７】
図６に示すように、作業口蓋３の下端を上方側から僅かに斜めにしてガイド片８ｄをダボ９に沿わせて下方側へ差し込むことで、下掛止金具８の垂下片８ｃがダボ９の裏側に嵌まり込み、この状態で作業口蓋３の上端側を作業口Ｈに略水平に押し込むことで、内周上縁傾斜部２ａに沿って外周上縁傾斜部３ｄが裏側へ向かってスライドして、良好に作業口Ｈに嵌め込まれることとなり、また作業口蓋３を取り外す際には、作業口蓋３を上へ押し上げることで、上端側が手前側にスライドして外れ、この状態でダボ９を支点として回転させて、良好に作業口蓋３を取り外すことができるものとなる。
つまり、前方下部に障害物があっても、良好に作業口蓋３を着脱できるものとなる。
【００１８】
なお、図７は変更例を示すものであり、図７の縦断面図で示す構造では、エプロン２の作業口Ｈの内周には、上縁側および下縁側にそれぞれ水平状の内周上縁水平部２ｄおよび内周下縁水平部２ｂが形成されており、作業口蓋３の上端にのみ外周上縁傾斜部３ｄが形成されたものである。
このように、作業口蓋３の上端のみに外周上縁傾斜部３ｄを形成させておいても、手掛け凹部３ｃ内に指を入れて作業口蓋３を上方へ持ち上げることで、良好に外周上縁傾斜部３ｄがエプロン２に沿って斜めにスライドし、作業口蓋３を手前側に外すことができるものである。
なお、作業口蓋３の下端は、作業口Ｈの内周下縁水平部２ｂに嵌め合わせできる略水平な下縁水平片３ｆとしておくことができる。
【００１９】
次に、図８の縦断面拡大図で示すものは、逆にエプロン２の作業口Ｈの内周上端側に傾斜状に内周上縁傾斜部２ａを形成させたものであり、この図８のような構造でも、手掛け凹部３ｃに指を入れて作業口蓋３を上方へ押し上げることで、内周上縁傾斜部２ａに沿って良好に作業口蓋３の上端側が手前側に外れるものとなり、作業口蓋３を手前側に引っ張らなくても良好に手前側に外すことができるものとなる。
【図面の簡単な説明】
【００２０】
【図１】第１実施例の作業口蓋を有する浴槽エプロンの設置状態の要部斜視構成図である。
【図２】図１における作業口蓋の取付状態の縦断面拡大構成図である。
【図３】作業口蓋をコーナー側に設けたエプロンの設置状態の要部斜視構成図である。
【図４】図３における作業口蓋の取付状態の縦断面構成図である。
【図５】図３におけるエプロンの作業口にダボを設けた要部拡大斜視構成図である。
【図６】作業口蓋の裏側下部に設けられる下掛止金具の変更例の拡大縦断面構成図である。
【図７】作業口蓋の上端側にのみ傾斜部を設けた場合の取付状態の縦断面構成図である。
【図８】作業口の上端側にのみ傾斜部を形成させた場合の取付状態の縦断面構成図である。
【符号の説明】
【００２１】
１  浴槽
２  エプロン
２ａ  内周上縁傾斜部
２ｂ  内周下縁水平部
２ｃ  作業口内周立壁
２ｄ  内周上縁水平部
３  作業口蓋
３ａ  前片
３ｂ  側片
３ｃ  手掛け凹部
３ｄ  外周上縁傾斜部
３ｅ  ボス部
５  上受け金具
６  下受け金具
７  上掛止金具
８  下掛止金具
８ａ  固定片
８ｂ  逆Ｕ字状片
８ｃ  垂下片
８ｄ  ガイド片
９  ダボ
１０  ビス
【図１】
2007181574.tif 000003
【図２】
2007181574.tif 000004
【図３】
2007181574.tif 000005
【図４】
2007181574.tif 000006
【図５】
2007181574.tif 000007
【図６】
2007181574.tif 000008
【図７】
2007181574.tif 000009
【図８】
2007181574.tif 000010